(57)【要約】【課題】  打出し角度が高く、スピン量が少ないとともに、打球の方向安定性が優れたゴルフクラブヘッド、ゴルフクラブおよびゴルフクラブセットを提供する。【解決手段】  本発明のゴルフクラブヘッドは、ゴルフボールを打撃するフェース面を有し、このフェース面が所定のロフト角度に形成されているものであり、フェース面が所定のロフト角度になるように水平面に配置した際、ゴルフクラブヘッドの重心を通るフェース面に垂直な垂線がフェース面に交わる点から水平面に至る重心高さをＦＧＨ（ｍｍ）とし、さらに、ゴルフクラブヘッドの重心を通り水平面に直交する垂直な直線を回転軸とする回転軸回りの慣性モーメントの大きさをＭＩＧ（ｇ・ｃｍ２）とするとき、ＦＧＨ−ＭＩＧ×０．００１６９で表わされるパラメータＡがＡ＜１４．４５である。【選択図】  図１
2006223460.tif 000002
【特許請求の範囲】
【請求項１】
ゴルフボールを打撃するフェース面を有し、前記フェース面が所定のロフト角度に形成されているゴルフクラブヘッドであって、
前記フェース面が前記所定のロフト角度になるように水平面に配置した際、ゴルフクラブヘッドの重心を通る前記フェース面に垂直な垂線が前記フェース面に交わる点から前記水平面に至る重心高さをＦＧＨ（ｍｍ）とし、
さらに、前記重心を通り前記水平面に直交する垂直な直線を回転軸とする回転軸回りの慣性モーメントの大きさをＭＩＧ（ｇ・ｃｍ２）とするとき、
ＦＧＨ−ＭＩＧ×０．００１６９で表わされるパラメータＡが、Ａ＜１４．４５であることを特徴とするゴルフクラブヘッド。
【請求項２】
前記ロフト角度は、２０°以上である請求項１に記載のゴルフクラブヘッド。
【請求項３】
前記フェース面は、最大引張強度が６００ＭＰａ以上のアルミニウム合金により形成されている請求項１または２に記載のゴルフクラブヘッド。
【請求項４】
前記請求項１〜３のいずれか１項に記載のゴルフクラブヘッドを有することを特徴とするゴルフクラブ。
【請求項５】
複数本のゴルフクラブを備えるゴルフクラブセットであって、
前記請求項４に記載のゴルフクラブを有することを特徴とするゴルフクラブセット。
【発明の詳細な説明】
【技術分野】
【０００１】
本発明は、打出し角度が高く、スピン量が少ないとともに、打球の方向安定性が優れたゴルフクラブヘッド、ゴルフクラブおよびゴルフクラブセットに関する。
【背景技術】
【０００２】
従来、ゴルフクラブヘッドにおいて、打出し角度を高くし、さらにスピン量を少なくするために、低重心化が図られている。
【発明の開示】
【発明が解決しようとする課題】
【０００３】
しかしながら、低重心化のために、ゴルフクラブヘッドの質量の多くをソール部の中央に集めた場合、ゴルフクラブヘッドのヒールおよびトウ側の質量がソール部の中央に比して小さくなり、ゴルフクラブヘッドの重心を通りソール面に垂直な直線を回転軸とする回転軸回りの慣性モーメント（以下、単に「慣性モーメント」ともいう）が小さくなる。このため、ゴルフクラブヘッドの打球の方向安定性が劣るという問題点がある。
【０００４】
一方、打球の方向安定性を向上させるために、慣性モーメントを大きくする場合、ゴルフクラブヘッドのヒール側およびトウ側の質量を大きくする必要があり、これにより、ソール部の質量が相対的に小さくなり低重心化を図ることができない。このため、打出し角度が高く、かつスピン量を少なくすることができないという問題点がある。
このように、低重心化を図ることと慣性モーメントを大きくすることとは、相反するものであり、現状、打出し角度が高く、スピン量が少ないとともに、打球の方向安定性が優れたゴルフクラブヘッドは存在しない。
【０００５】
本発明の目的は、前記従来技術の問題点を解決することにあり、打出し角度が高く、スピン量が少ないとともに、打球の方向安定性が優れたゴルフクラブヘッド、ゴルフクラブおよびゴルフクラブセットを提供することにある。
【課題を解決するための手段】
【０００６】
上記目的を達成するために、本発明の第１の態様は、ゴルフボールを打撃するフェース面を有し、前記フェース面が所定のロフト角度に形成されているゴルフクラブヘッドであって、前記フェース面が前記所定のロフト角度になるように水平面に配置した際、ゴルフクラブヘッドの重心を通る前記フェース面に垂直な垂線が前記フェース面に交わる点から前記水平面に至る重心高さをＦＧＨ（ｍｍ）とし、さらに、前記重心を通り前記水平面に直交する垂直な直線を回転軸とする回転軸回りの慣性モーメントの大きさをＭＩＧ（ｇ・ｃｍ２）とするとき、ＦＧＨ−ＭＩＧ×０．００１６９で表わされるパラメータＡが、Ａ＜１４．４５であることを特徴とするゴルフクラブヘッドを提供するものである。
【０００７】
本発明においては、前記ＦＧＨと前記ＭＩＧとが、ＦＧＨ−ＭＩＧ×０．００１６９（＝Ａ）＜１３．４５の関係を満たすことが好ましく、ＦＧＨ−ＭＩＧ×０．００１６９（＝Ａ）＜１２．４５の関係を満たすことがさらに好ましい。
【０００８】
また、本発明においては、前記ロフト角度は、２０°以上であることが好ましく、さらに好ましくは２５°以上である。
さらに、本発明においては、前記フェース面は、最大引張強度が６００ＭＰａ以上のアルミニウム合金により形成されていることが好ましい。
本発明においては、最大引張強度が６００ＭＰａ以上のアルミニウム合金とは、例えば、急冷凝固アルミニウム合金である。
【０００９】
また、本発明の第２の態様は、上記本発明の第１の態様のゴルフクラブヘッドを有することを特徴とするゴルフクラブを提供するものである。
【００１０】
また、本発明の第３の態様は、複数本のゴルフクラブを備えるゴルフクラブセットであって、上記本発明の第２の態様のゴルフクラブを有することを特徴とするゴルフクラブセットを提供するものである。
【発明の効果】
【００１１】
本発明の第１の態様のゴルフクラブヘッドおよび本発明の第２の態様のゴルフクラブによれば、フェース面を、形成されている所定のロフト角度になるように水平面に配置した際、ゴルフクラブヘッドの重心を通るフェース面に垂直な垂線がフェース面に交わる点から水平面に至る重心高さをＦＧＨ（ｍｍ）とし、フェース面が前記所定のロフト角度になるように水平面に配置した際、ゴルフクラブヘッドの重心を通り水平面に直交する垂直な直線を回転軸とする回転軸回りの慣性モーメントの大きさをＭＩＧ（ｇ・ｃｍ２）とするとき、パラメータＡ（＝ＦＧＨ−ＭＩＧ×０．００１６９）を、Ａ＜１４．４５とすることにより、打出し角度が高く、スピン量が少ないとともに、打球の方向安定性が優れたものとすることができる。
【００１２】
また、本発明の第３の態様のゴルフクラブセットによれば、打出し角度が高く、スピン量が少ないとともに、打球の方向安定性が優れたゴルフクラブを有するものとなる。
【発明を実施するための最良の形態】
【００１３】
以下に、添付の図面に示す好適実施形態に基づいて、本発明のゴルフクラブヘッド、ゴルフクラブおよびゴルフクラブセットを詳細に説明する。
【００１４】
従来のゴルフクラブヘッドにおいては、打出し角度を高くし、さらにスピン量を少なくするために、低重心化が図られている。この低重心化を図るために、ゴルフクラブヘッドの質量の多くをソール部に集めた場合、ゴルフクラブヘッドのヒールおよびトウ側の質量がソール部の中央に比して小さくなり、ゴルフクラブヘッドの重心を通りソール面に垂直な直線を回転軸とする回転軸回りの慣性モーメントが小さくなり、ゴルフクラブヘッドの打球の方向安定性が劣るものであった。
【００１５】
一方、打球の方向安定性を向上させるために、慣性モーメントを大きくする場合、ゴルフクラブヘッドのヒールおよびトウ側の質量を大きくする必要があり、これにより、ソール部の質量が相対的に小さくなり低重心化を図ることができない。このように、ゴルフクラブヘッドにおいては、低重心化を図ることと慣性モーメントを大きくすることとは相反するものであり、重心が低く、かつ慣性モーメントが大きいゴルフクラブヘッドは従来存在しなかった。
【００１６】
しかしながら、本発明者が鋭意検討した結果、比強度が高く、かつゴルフボールの打撃による衝撃に耐えうる強度を有する材質のものを用いてフェース部を作製し、ソール部には質量が大きい材質（高比重金属）を用いることにより、ゴルフクラブヘッドにおいて、ＦＧＨ−ＭＩＧ×０．００１６９（＝Ａ）で表わされるパラメータＡを、Ａ＜１４．４５とすることができ、これにより、打出し角度が高く、スピン量が少ないとともに、打球の方向安定性が優れたゴルフクラブヘッドが得られることを見出した。すなわち、ゴルフクラブヘッドにおいて、パラメータＡを、Ａ＜１４．４５とすることにより、飛距離と打球の方向安定性とが共に優れたゴルフクラブヘッドを得ることができる。本発明は、以上の知見に基づいてなされたものである。
【００１７】
図１（ａ）は、本発明の実施例に係るゴルフクラブヘッドを有するゴルフクラブを示す模式的斜視図であり、図１（ｂ）は、図１（ａ）のゴルフクラブヘッドを示す模式的正面図である。
図１（ａ）に示すように、ゴルフクラブ１０は、例えば、ゴルフクラブヘッド１２と、ソケット１４と、ゴルフクラブシャフト１６と、グリップ１８とを有するものである。
【００１８】
また、ゴルフクラブヘッド１２は、ゴルフクラブヘッド本体部１３（以下、本体部１３という）、およびソール部２２を有し、一般的にアイアンと呼ばれる種類のヘッドである。この本体部１３は、フェース部２０およびホーゼル部２４を有するものである。
【００１９】
本実施形態のゴルフクラブヘッド１２において、本体部１３にフェース部２０が設けられており、このフェース部２０は、その表面がゴルフボールを打撃するフェース面２０ａとなるものである。フェース面２０ａには、ヒールからトウ方向に伸びたスコアライン（図示せず）が複数平行に形成されている。
なお、本実施例においては、ロフト角度θは、２０°以上であることが好ましく、さらに好ましくは、２５°以上である。このロフト角度については、後に詳細に説明する。
【００２０】
図１（ａ）および（ｂ）に示すように、ソール部２２は、フェース部２０に連続して下方に設けられるものである。ソール部２２は、中央部２２ａを残して、ヒール側およびトウ側の一部が切り欠かれている。この中央部２２ａのヒール側およびトウ側に、それぞれ重心調整用錘２８ａ、２８ｂが設けられている。この重心調整用錘２８ａ、２８ｂの形状は、例えば、ソール部２２のヒール側およびトウ側の一部が切り欠かれた形状と同一形状である。
また、中央部２２ａおよび重心調整用錘２８ａ、２８ｂをヒールからトウ方向に貫通する貫通孔２２ｂが形成されている。この貫通孔２２ｂには、例えば、両端に雌ねじが形成された軸２９が挿通されている。ソール部２２の外側から雄ねじにより重心調整用錘２８ａ、２８ｂがソール部２２の中央部２２ａに固定されている。中央部２２ａおよび重心調整用錘２８ａ、２８ｂによりソール部２２が一体的に構成される。
本実施例においては、重心調整用錘２８ａ、２８ｂをねじ止めして固定することにより、脱落を防止でき、耐久性を向上させることができる。
【００２１】
この重心調整用錘２８ａ、２８ｂは、重心位置および慣性モーメントを調整するために設けられるものであり、ゴルフクラブヘッド１２に要求される重心位置および慣性モーメントに応じて適宜形状および配置位置が変更される。
本実施例においては、トウ側およびソール側の重心調整用錘２８ａ、２８ｂの形状または材質を変えることにより、ゴルフクラブヘッド１２全体の重量バランスを容易に変えることができる。このため、ゴルフクラブヘッド１２の重心位置および慣性モーメントを容易に調整することができる。また、重心調整用錘２８ａ、２８ｂは、例えば、タングステンまたはタングステン合金などの密度が高い材質のものが用いられる。
なお、重心調整用錘２８ａ、２８ｂの固定方法は、ねじ止めに限定されるものではなく、例えば、軸の両端部をかしめて重心調整用錘２８ａ、２８ｂを固定してもよく、また、ゴルフクラブ１０の使用時に、密度が高い重心調整用錘２８ａ、２８ｂがソール部２２から脱落することを防止できれば、これ以外の固定方法も適宜用いることができる。
【００２２】
慣性モーメントは、具体的にはゴルフクラブヘッド１２に設定されている所定のロフト角度になるように水平面Ｈに配置したとき、ゴルフクラブヘッド１２の重心Ｇを通り、水平面Ｈに直交する鉛直線Ｖ（図２参照）回りの慣性モーメントＭＩＧ（図２参照）である。そして、重心調整用錘２８の調整により、ゴルフクラブヘッド１２は、例えば、慣性モーメントＭＩＧが１１００ｇ・ｃｍ２〜３１００ｇ・ｃｍ２に調整されている。この慣性モーメントＭＩＧは、フェース面２０ａがトウ側またはヒール側に向きを変えて回転するときの慣性モーメントである。
【００２３】
この慣性モーメントＭＩＧは、打球の方向安定性に影響を与えるものである。慣性モーメントＭＩＧは大きい方が、打撃時にゴルフクラブヘッド１２のフェース面２０ａがヒール側またはトウ側に回転しにくくなる。これにより、ゴルフクラブヘッド１２の重心Ｇを通り、水平面Ｈに直交する鉛直線Ｖ（図２参照）を回転軸とするフェース面２０ａの回転が抑制され、ゴルフボールの飛弾方向のばらつきが小さくなる。このように、慣性モーメントＭＩＧを規定することにより、ゴルフボールの飛弾方向のばらつきを小さくできる。
【００２４】
ホーゼル部２４は、ゴルフクラブシャフト１６をゴルフクラブヘッド１２に固定するものであり、フェース部２０のヒール側に一体的に設けられている。このホーゼル部２４には、ゴルフクラブシャフト１６が挿入される開口部２６が設けられている。ゴルフクラブシャフト１６は、ゴルフクラブヘッド１２にソケット１４を介して固定される。
【００２５】
本実施例においては、例えば、ゴルフボールを打撃するフェース面２０ａを有するフェース部２０およびホーゼル部２４が一体的に本体部１３として、例えば、最大引張強度が６００ＭＰａ以上の高強度アルミニウム合金により形成されている。この高強度アルミニウム合金は、溶融した合金を急冷凝固させる急冷凝固法により得ることができる。具体的には、高強度アルミニウム合金は、主元素をＡｌとし、所定の添加元素を含む合金組成を有する溶融金属を急冷することにより、非晶質相、非晶質と微細結晶質の混合相あるいは微細結晶質相に調整することによって得ることができ、この高強度アルミニウム合金は、高強度と超塑性を有する。例えば、溶融金属をガスアトマイズ法によって急冷凝固粉末を作製し、この粉末を押し出し固化して、高強度アルミニウム合金の板材等の部材を製造することができる。この高強度アルミニウム合金としては、例えば、特許３２０５４９５号明細書において規定された組成を有する合金が挙げられる。また、日本軽金属株式会社製、ＭＥＳＯ−１０（Ａｌ−９．５Ｚｎ−３Ｍｇ−１．５Ｃｕ−０．０４Ａｇ）が挙げられる。
なお、フェース部２０およびホーゼル部２４を構成するものは、高強度アルミニウム合金に限定されるものではなく、比強度が高く、かつゴルフボールの打撃による衝撃に耐えうる強度を有するものであれば、特に限定されるものではない。
【００２６】
図１に示すように、ゴルフクラブ１０は、ゴルフクラブシャフト１６がソケット１４を介してゴルフクラブヘッド１２のホーゼル部２４に取り付けられている。また、ゴルフクラブシャフト１６は、ゴルフクラブヘッド１２が取り付けられる反対側にグリップ１８が取り付けられている。
【００２７】
また、ゴルフクラブヘッド１２の重心高さＦＧＨは、ゴルフクラブヘッド１２に設定されている所定のロフト角度になるように水平面Ｈに配置したとき、ゴルフクラブヘッド１２の重心Ｇを通りフェース面２０ａに直交する垂直な線Ｌがフェース面２０ａと交わる点ｇの水平面Ｈからの高さである。この重心高さＦＧＨが１６．３ｍｍ〜１９．６ｍｍに調整される。
【００２８】
本実施例において、重心高さＦＧＨは、打出し角度およびスピン量に影響を与えるものである。重心高さＦＧＨが低い方が、ゴルフボールの下側を打撃することができる。このため、打出し角度を大きくすることができる。また、重心高さＦＧＨが低い方が、低スピン化できる。
【００２９】
このような重心高さＦＧＨおよび慣性モーメントＭＩＧの調整は、フェース面２０ａを有する本体部１３が、引張最大強度で６００ＭＰａ以上の高強度アルミニウム合金で構成されているため、従来、用いられていた７０７５アルミニウム合金に比べてフェース部の厚さを、例えば、２．５〜３．５ｍｍと薄くすることができる。このため、本体部１３の質量を軽減することができる。これにより、従来と同等の質量のゴルフクラブヘッドを作製する場合、タングステン合金等の高比重金属からなる重心調整用錘２８の質量を従来に比べて大きくすることができる。したがって、重心調整用錘２８によって重心高さＦＧＨおよび慣性モーメントＭＩＧの調整量を多くすることができる。
【００３０】
このため、本実施例のゴルフクラブヘッド１２においては、ＦＧＨ−ＭＩＧ×０．００１６９（＝Ａ）で表わされるパラメータＡを、Ａ＜１４．４５とすることができる。
本発明においては、パラメータＡの値を１４．４５未満（Ａ＜１４．４５）とする。ことにより、従来では、相反する性質であるため実現されていなかった高打出し角度および低スピン、ならびに打球の方向安定性のすべてが優れたものとなる。すなわち、飛距離の向上と打球の方向安定性の向上との両立を図ることができ、相反する２つの特性を合せもつものが実現できる。
【００３１】
一方、本発明においては、パラメータＡの値が１４．４５以上である場合、高打出し角度および低スピン、ならびに打球の方向安定性を実現することができない。すなわち、飛距離と打球の方向安定性との両立を図ることができない。従って、本発明においては、パラメータＡの値を１４．４５未満（Ａ＜１４．４５）とする。なお、パラメータＡは、Ａ＜１３．４５であることが好ましく、さらに好ましくは、Ａ＜１２．４５である。
【００３２】
なお、本実施例においては、ＦＧＨは、１６．３ｍｍ〜１９．６ｍｍであることが好ましい。また、ＭＩＧは、１１００ｇ・ｃｍ２〜３１００ｇ・ｃｍ２であることが好ましい。慣性モーメントＭＩＧを１１００ｇ・ｃｍ２〜３１００ｇ・ｃｍ２とすることにより、ゴルフクラブヘッド１２のスイートエリアをある程度広く確保することが可能になり、ゴルフボールの打撃位置が重心点ｇからずれてもゴルフボールが飛ぶ方向を安定させることができる。
【００３３】
以下、重心高さＦＧＨの測定方法について詳細に説明する。
重心高さＦＧＨは、図２に示すように、重心Ｇを通るフェース面２０ａに垂直な垂線Ｌがフェース面２０ａと交わる点ｇを定め、フェース面２０ａがゴルフクラブヘッド１２に設定されている所定のロフト角度θになるように水平面Ｈに配置したとき、すなわち、ゴルフクラブ１０を水平面Ｈに通常のアドレスポジションに設置したときの水平面Ｈから点ｇに至る高さをいう。
【００３４】
ここで、ゴルフクラブ１０を通常のアドレスポジションに設置するとは、ゴルフクラブヘッド１２をライ角度通りに設置し、かつ、図３に示すようにゴルフクラブ１０のシャフト軸Ｓとリーディングエッジ１３ａとが互いに平行になるように設置することをいう。ライ角度通りに設置とは、図２において、ソール部２２のラウンドと水平面Ｈとのなす隙間がトウ側及びヒール側にて略等しくなる状態に設置することをいう。ソール部２２のラウンドが不明瞭な場合は、フェース面２０ａに描かれるスコアライン（図３参照）が水平面Ｈに平行になるように設置してもよい。ソール部２２のラウンドが不明瞭でかつスコアラインが直線状でない等により水平面Ｈとの平行が判別できない場合は、ライ角度は、ライ角度（度）＝（１００−クラブ長さ（インチ））にて設定される。例えば、４０インチのクラブ長さであれば、ライ角度は１００−４０＝６０°になる。
【００３５】
ここで、クラブ長さは、社団法人日本ゴルフ用品協会が定める測定法により測定される。測定器としては、株式会社鴨下精衡所製のクラブ・メジャーIIが挙げられる。即ち、ヒール側の端部とグリップエンドとの間の距離をクラブ長さとするのである。
アドレスポジションにおいて、リーディングエッジ１３ａの方向はフェース面２０ａが指す方向と直角な方向に設定される。
【００３６】
上述のようにフェース面２０ａの方向を特定し、通常のアドレスポジションを設定した状態で行うゴルフクラブヘッドの寸法測定は、昇峰企業社製の高爾夫球頭測度台、ゴルフギャレーヂ社製のゴルフクラブアングル測定器、ゴルフスミス社製のゴルフクラブゲージ等の測定器により可能である。このような測定器は公知のものであれば良く、本発明において特に限定されるものではない。
【００３７】
一方、上述した重心高さＦＧＨを規定する点ｇは、図４に示すような重心測定器４０によって求められる。重心測定器４０は、上部に重心測定対象物を支持する支持部４２を備え、この支持部４２が測定対象物を平衡に支持する測定対象物の位置を知ることができるものである。すなわち、重心の測定方法は、図５（ａ）に示すようにゴルフクラブヘッド１２を、支持部４２に載せ、手を放しても落ちない平衡な位置を探しだす。つまり、図５（ａ）に示すように、フェース面２０ａと支持部４２の接触部に点ｇを含んでいれば、ゴルフクラブヘッド２２を支持部４２に載せて手を放しても落ちないが、図５（ｂ）に示すように、フェース面２０ａと支持部４２の接触部に点ｇを含んでいなければ、ゴルフクラブヘッド１２は、支持部４２に載せて手を放すと落ちる。このことを利用して点ｇを求めるものである。
支持部４２は平面または３点以上で支持する形態であることが好ましい。また、支持部４２の面積は、１５ｍｍ２以下であることが好ましい。また、下限はゴルフクラブヘッドが支えられる限り特に限定されない。支持部４２の面積は、平面であれば平面部分の面積、３点以上で支持する形態であれば各点を結んだ図形の面積によって示される。支持部の面積を上記の範囲に設定することによって、より正確に点ｇを求めることができる。
【００３８】
支持部４２によって支持された平面は水平または概ね水平になることが好ましい。ここで、概ね水平とは、水平面に対する傾きが２°以内、好ましくは１°以内のことである。水平または概ね水平になっているか否かは、例えば、図６に示すように、支持部４２に平面板４４を載せて支持させ、平面板４４の上に水準器４６を置き、確認し、調整することができる。上記範囲内に設定することによって、より正確に点ｇを求めることが可能になる。
【００３９】
また、本発明でいうロフト角度θ（°）は、図２に示すように、シャフト軸Ｓとフェース面２０ａとの成す角度であり、図７に示されるようなロフト角度測定器５０により測定される。図７は、本実施例のゴルフクラブ１０をロフト角度測定器５０に取り付けた例を示し、図８は、図７中のゴルフクラブヘッド１２の周辺を拡大して示している。
【００４０】
ロフト角度θの測定は、ゴルフクラブ１０をロフト角度測定器５０に取り付けた状態において、ゴルフクラブ１０が基準面５２に対してライ角度通りに設置するようにライ角度調整部５３において取り付け角度が調整され、次いで、ロフト角度測定器５０に取り付けられたゴルフクラブ１０は、ソール部２２が基準面５２に接するように、かつ、フェース角度調整具５６の先端部５６ａにフェース面２０ａが密着するように、すなわち、フェース角が０°になるように、ゴルフクラブ１０がチャック部５８で固定される。
【００４１】
その後、図９に示すように、ゴルフクラブヘッド１２のフェース面２０ａの基準面５２に垂直に立てた分度器６０を用いてロフト角度θが測定される。フェース面２０ａが平面の場合、上記測定によってロフト角度θが得られる。
ロフト角度θの測定は、上述のように、ゴルフクラブによって測定する他、ゴルフクラブヘッド単体にシャフトピンを差し込んで測定することも可能である。ゴルフクラブヘッド単体で測定して得られるロフト角度θの数値は、上述のゴルフクラブによって測定して得られるロフト角度θと実質的に同じである。
【００４２】
このようなロフト角度θの測定器は、上述の寸法測定と同様に、市販されている公知のものであればよく、例えば、昇峰企業社製の高爾夫球頭測度台、ゴルフギャレーヂ社製のゴルフクラブアングル測定器、ゴルフスミス社製のゴルフクラブゲージ等の測定器が例示される。このような測定器は公知のものであれば良く、本発明において特に限定されるものではない。
【００４３】
次に、図１０〜図１３を参照して、図２に示すようなフェース面２０ａがゴルフクラブヘッド１２に設定されている所定のロフト角度になるように水平面Ｈに配置したとき、ゴルフクラブヘッド１２の重心Ｇを通り、水平面Ｈに直交する鉛直線Ｖを回転軸とする回転軸回りの慣性モーメントＭＩＧの測定方法について説明する。
図１０は、慣性モーメント測定器を示す模式的斜視図である。
慣性モーメント測定器７０は、測定部７２、演算部７４、スタートレバー７６、表示部７８、操作ボタン８０を備え、測定部７２の上に慣性モーメントの測定対象物が載置され、スタートレバー７６を手で摘んで変位させた後、手を放して捩れ振動させ、この時の捩れ振動の周期を測ることによって演算部７４を通して慣性モーメントを測定し、表示部７８に慣性モーメントの数値を表示する装置である。
なお、慣性モーメント測定器７０として、Ｉｎｅｒｔｉａ  Ｄｙｎａｍｉｃｓ社製、慣性モーメント測定器  Ｍｏｄｅｌ  ＭＯＩ−００５−０１４が例示される。このような慣性モーメント測定器は公知のものであればよく、本発明において、特に制限されない。
【００４４】
図１１（ａ）に示すように、慣性モーメント測定器７０に治具８２を固定して、治具８２の慣性モーメントＩａを測定する。
次いで、図１１（ｂ）に示すように、治具８２の上面部８４にゴルフクラブヘッド１２のソール部２２を固定して、ゴルフクラブヘッド１２および治具８２の合計の慣性モーメントＩｂを測定する。次に、得られた各慣性モーメントＩａ、Ｉｂから、（Ｉｂ−Ｉａ）よりゴルフクラブヘッドの慣性モーメントを得る。
なお、通常の慣性モーメント測定器７０では、上記Ｉａの数値は、操作ボタン８０を駆使し一連の手順によって自動的に風袋引きをされ、（Ｉｂ−Ｉａ）の数値が表示される。
【００４５】
なお、ゴルフクラブヘッド１４と治具８２とを固定するためには、例えば、両面テープ、粘土等の粘着体による固定、接着剤による固定、または磁力を用いた固定などが挙げられる。
固定は、ゴルフクラブヘッド１２のソール部２２が治具８２の上面部８４に固定される。しかしながら、ソール部２２が凸の曲面を有していれば、上面部８４は凸の曲面に合致するような凹の曲面であることが好ましく、ソール部２２が平面であれば、上面部８４は平面であることが好ましい。つまり、固定する両面が合致することが好ましい。
ゴルフクラブヘッド１２のソール部２２が曲面である場合には、粘着体（図示せず）をソール部２２及び上面部８４に合致するように設け、ゴルフクラブヘッド１２を固定する。この場合、粘着体のように接着剤などの固定手段の内質量を有するものは、治具の一部に含まれ、風袋引きにおいては治具と同様に風袋として引かれることは言うまでもない。
【００４６】
ゴルフクラブヘッド１２は、図１２（ａ）に示すゴルフクラブヘッド１２の重心Ｇを通り、水平面Ｈに直交する鉛直線Ｖと、図１２（ｂ）に示す慣性モーメント測定器７０の捩れ振動の回転軸Ｒとが、図１２（ｃ）に示すように一致もしくは概ね一致するように慣性モーメント測定器７０に固定されることが好ましい。
概ね一致とは、回転軸Ｒが水平面Ｈを通る点と鉛直線Ｖが水平面Ｈを通る点ｐとのなす距離が３ｍｍ以内、好ましくは２ｍｍ以内、より好ましくは１ｍｍ以内とすることである。
この範囲内にゴルフクラブヘッド１２のソール部２２を固定することによって、より正確に本発明の慣性モーメントを測定することが可能になる。重心点ｇは、上述したように、図６に示す重心測定器４０によって求められる。
【００４７】
また、上記回転軸Ｒがソール部２２を通る点と点ｇとの距離を上記範囲内とする必要は必ずしもなく、この距離を知り、自動的に風袋引きをして得られた（Ｉｂ−Ｉａ）の数値からゴルフクラブヘッド１２の質量にこの距離の自乗を掛けた積を減算することによって補正することができる。
この補正方法によってゴルフクラブヘッド１２の重心Ｇを通るソール部２２に垂直な方向の慣性モーメントを得てもよい。このように、ゴルフクラブヘッドの重心Ｇを通るソール部２２に垂直な方向の慣性モーメントの測定方法については、特に限定されない。
【００４８】
慣性モーメント測定器７０の回転軸Ｒ及びこの回転軸Ｒがソール部２２を通る点は、慣性モーメント測定器７０により定められるものである。回転軸Ｒは鉛直または概ね鉛直になることが好ましい。
ここで、概ね鉛直とは、鉛直方向に対する傾きが２°以内、好ましくは１°以内のことである。回転軸Ｒを鉛直または概ね鉛直に設定するためには、慣性モーメント測定器７０に設けられた水準器部分を目安に測定器の水平を調整すること、又は測定器を水平に調整された平面板上に設置すること等が考えられる。
上記範囲内に設定することによって、ゴルフクラブヘッド１２の重心Ｇを通り水平面Ｈに直交する（ソール部２２に垂直な）鉛直線Ｖを回転軸とする回転軸回りの慣性モーメントをより正確に測定することができる。
【００４９】
治具８２の上面部８４によって支持された平面は水平または概ね水平になることが好ましい。本発明における概ね水平とは、水平面に対する傾きが２°以内、好ましくは１°以内のことである。水平または概ね水平になっているか否かは、図６に示す支持部４２と同様な方法で確認し、調整することができる。
上記範囲内に設定することによって、ゴルフクラブヘッド１２の重心Ｇを通りソール部２２に垂直な軸回りの慣性モーメントをより正確に測定することができる。
【００５０】
また、治具８２は、治具自体の重心位置が回転軸Ｒに一致もしくは概ね一致するように慣性モーメント測定器７０に装着されることが好ましい。概ね一致とは、図１３に示すように治具８２の重心位置をＣとすると、重心位置Ｃと回転軸Ｒとの距離δを２ｍｍ以内、好ましくは１ｍｍ以内とすることである。
治具８２の重心位置Ｃを上記範囲内に設定することによって、ゴルフクラブヘッド１２の重心Ｇを通りソール部２２に垂直な軸回りの慣性モーメントをより正確に測定することができる。
【００５１】
なお、ゴルフクラブヘッド１２と治具８２とを固定するためには、両面テープ、粘土等の粘着体による固定、接着剤による固定、磁力を用いた固定等が考えられる。
固定は、ゴルフクラブヘッド１２のソール部２２と、治具８２の上面部８４によって固定されるが、ソール面が凸の曲面であれば、上面部８４は凸の曲面に合致するような凹の曲面であることが好ましく、ソール面が平面であれば、上面部８４は平面であることが好ましい。
つまり、固定する両面が合致することが好ましい。ゴルフクラブヘッド１２のソール部２２は曲面を成しているので、この場合、図１１（ｂ）、図１２（ｃ）に示すように、粘着体１０１をソール部２２及び上面部８４に合致するように形成し、ゴルフクラブヘッド１２を固定する。言うまでもなく粘着体のように、接着剤等固定手段の内質量を有するものは、治具の一部に含まれ、風袋引きにおいては治具と同様に風袋として引かれる。
【００５２】
本発明においては、以上のように、重心高さＦＧＨおよび慣性モーメントＭＩＧが測定される。
ここで、図１４は、縦軸に重心高さＦＧＨをとり、横軸に慣性モーメントＭＩＧをとって、本発明のパラメータＡの範囲を示すグラフである。
【００５３】
図１４に示すように、直線αは、パラメータＡ＝１４．４５の直線であり、直線βは、パラメータＡ＝１３．４５の直線であり、直線γは、パラメータＡ＝１２．４５の直線である。図１４において、領域Ｄｅは、本発明の範囲（Ａ＜１４．４５）であり、領域Ｄｃは、本発明の範囲からはずれる領域である。また、領域ＤＩＧは、慣性モーメントＭＩＧの好ましい範囲（１１００ｇ・ｃｍ２〜３１００ｇ・ｃｍ２）であり、領域ＤＧＨは、重心高さＦＧＨの好ましい範囲（１６．３ｍｍ〜１９．６ｍｍ）である。慣性モーメントＭＩＧおよび重心高さＦＧＨの好ましい範囲かつ、パラメータＡ＜１４．４５の領域Ｄｂが、本発明において最も好ましい範囲である。
【００５４】
このように、本発明のゴルフクラブヘッドおよびこのゴルフクラブヘッドを用いたゴルフクラブにおいては、パラメータＡ、Ａ＜１４．４５とすることにより、打出し角度が高く、かつスピン量が少ないとともに、打球の方向安定性が優れる。
【００５５】
次に、本実施例のゴルフクラブを少なくとも１本有するゴルフクラブセットについて説明する。
図１５は、本発明の実施例に係るゴルフクラブセットを示す模式図である。
図１５に示すように、ゴルフクラブセット１００は、例えば、３番アイアン（Ａ３）から９番アイアン（Ａ９）、及びピッチングウェッジ（ＡＰ）、アプローチウェッジ（ＡＡ）、サンドウェッジ（ＡＳ）までの各番手のアイアン（Ａ３〜ＡＳ）１０本によって構成される。アイアンのうち、少なくとも１本は、本実施例のゴルフクラブ１０に相当するものであり、本実施例のゴルフクラブ１０と同様の構成には、同一符号を付してその詳細な説明は省略する。なお、ゴルフクラブセットの内、ロフト角度θ°が２０°〜４１°であるゴルフクラブを有することが好ましい。
【００５６】
ここで、上述の３番アイアン等の「３番」は番手といい、番手とは、主にロフト角度の異なったゴルフクラブをロフト角度の順番に並べることのできるように、各ゴルフクラブに付与した数字（自然数）、文字、または記号等によって表されたロフト角度の順番に関する識別情報の内容であり、各番手のロフト角度は、一定、または概ね一定の間隔で当業者によって適宜設定されている。また、本発明において番手が大きいとは、ロフト角度が大きい番手を指す。
【００５７】
これらのアイアンＡ３〜ＡＳのロフト角度θ（°）は、例えば、Ａ３が２１°、Ａ４が２４°、Ａ５が２７°、Ａ６が３０°、Ａ７が３４°、Ａ８が３８°、Ａ９が４２°、ＡＰが４７°、ＡＡが５２°、ＡＳが５７°と番手が大きくなるにつれ、ロフト角度θ（°）が大きくなっている。そして、ロフト角度θが２０°以上４１°以下の番手は、Ａ３〜Ａ８の６本の番手となっている。なお、アイアンＡ３〜ＡＳのロフト角度は、Ａ３からＡ６までは３°の刻み幅で大きくなり、Ａ７からＡ９までは４°の刻み幅で大きくなり、ＡＰからＡＳまでは５°の刻み幅で大きくなっているが、アイアンＡ３〜ＡＳのロフト角度の刻み幅は、これに限定されず、３°または４°等の一定の刻み幅であってもよい。
また、グリップ１８の端部からゴルフクラブヘッド１２の下端までの長さ（クラブ長さ）は、番手が大きくなるにつれ次第に短くなっている。すなわち、番手が小さいものの方がゴルフクラブシャフト１６の長さが長い。
【００５８】
このようなゴルフクラブセット１００では、ロフト角度が２０°以上４１°以下の、Ａ３、Ａ４、Ａ５、Ａ６、Ａ７、Ａ８の各ゴルフクラブを番手の順番に並べて、Ａ３を番号１、Ａ４を番号２、Ａ５を番号３、Ａ６を番号４、Ａ７を番号５、Ａ８を番号６とする。
本実施例のゴルフクラブセット１００を構成する１０本のゴルフクラブのうち、少なくとも１本が、本実施例のゴルフクラブである。なお、ゴルフクラブのうち、ロフト角度が２０°以上であるものであることが好ましい。例えば、Ａ３よりも番手が大きいものであることが好ましい。この場合、ゴルフクラブのゴルフクラブヘッド１２は、パラメータＡがＡ＜１４．４５であることはもちろんである。
【００５９】
なお、本発明において規定されるゴルフクラブのロフト角度を２０°以上４１°以下とするのは、ロフト角度が２０°以上４１°以下のゴルフクラブは、ゴルフクラブセットにおいて特に、番手に応じて精度良く打ち分けることが要求されるからである。
ロフト角度が２０°未満のゴルフクラブはドライバー等のウッド系のゴルフクラブである。このようなゴルフクラブは、主にティーアップして打球することが目的のゴルフクラブであり、必ずしも地上からの重心高さを重視するような設計にする必要がない。また、ロフト角度が２０°未満のゴルフクラブは、ゴルフクラブの供給業者においても積極的に単品のゴルフクラブとして販売していることからわかるように、主にゴルフボールの飛距離を稼ぐことを目的とし、必ずしもゴルフクラブセットの中で番手によって精度良く打ち分けることが要求されるものではない。
【００６０】
一方、ロフト角度が４１°を超えるウェッジ等のゴルフクラブはゴルフクラブセットとして構成するよりも、むしろ単品のゴルフクラブとして購入されることが多く、アプローチショット等のコントロールショットに用いられ、バックスピン量が特殊な初期弾道特性を生み出す必要がある。このため、ロフト角度が４１°を超えるゴルフクラブは特殊な重心位置設計が必要となり、本発明におけるゴルフクラブセットから除外される。
【００６１】
本実施形態は、１０本のアイアンをゴルフクラブセットとしたものであるが、本発明のゴルフクラブセットには、アイアンゴルフクラブセットのみならず、ウッドゴルフクラブセット、ウッドゴルフクラブセットとアイアンゴルフクラブセットの境界を取り払ったようなゴルフクラブセット、ロングアイアンに相当するもののみのゴルフクラブセット、また、ウッドゴルフクラブとアイアンゴルフクラブの中間的性能を備えてどちらにも分類しがたいいわゆるユーティリティゴルフクラブを含めたゴルフクラブセット等、ロフト角度θ（°）が２０°〜４１°の範囲にあり、これらのロフト角度が異なる複数本のゴルフクラブによって構成されるものも含まれる。
【００６２】
以上、本発明のゴルフクラブヘッド、ゴルフクラブおよびゴルフクラブセットについて説明したが、本発明は上述の実施形態に限定はされず、本発明の要旨を逸脱しない範囲において、各種の改良または変更を行ってもよいのは、もちろんである。
【実施例】
【００６３】
以下、本発明のゴルフクラブの実施例について、本発明の範囲から外れる比較例と比較して具体的に説明する。
本実施例においては、下記表１に示す実施例１、実施例２および比較例１のゴルフクラブヘッドについて、打球の上がり易さ（打出し角度の高さ）および打球の方向性（方向安定性）を評価項目として、評価試験を行った。各項目の評価結果を下記表２に示す。
【００６４】
本実施例においては、各ゴルフクラブヘッドに全て同じゴルフクラブシャフトを取り付けてゴルフクラブを作製し、評価試験を行った。
また、本実施例の各試験は、特に断りがないかぎり、ゴルフボールには、横浜ゴム社製
ＴＲＸ（商品名）ボールを用いた。
【００６５】
【表１】
2006223460.tif 000003
【００６６】
【表２】
2006223460.tif 000004
【００６７】
上がり易さ（打出し角度の高さ）については、ヘッドスピードが３４ｍ／秒〜５０ｍ／秒の範囲のアマチュアゴルファとプロゴルファの合計１００人を対象として、実施例１、実施例２および比較例１のゴルフクラブヘッドを装着したゴルフクラブを用いて、各人が各１０球ずつ打撃して打球が上がったか否か、すなわち、打出し角度が高いか否かを判断した結果であり、相対的な評価である。評価項目の上がり易さは、○が打球が上がり易いことを示し、×が打球が上がりにくいことを示す。
【００６８】
方向性（方向安定性）は、上記と同様に各１０球ずつ試打して得られた、目標に対しどれぐらいばらついたかを示すものである。評価項目の方向性は、各人が各１０球ずつ打撃して打球がばらついたか否かを判断した結果であり、相対的な評価である。評価項目の方向性は、○が打球がばらつかないことを示し、△が打球がややばらつくことを示す。
【００６９】
上記表２に示すように、パラメータＡの値が本発明の範囲に入る実施例１および実施例２は、打球が上がり易く、さらには打球の方向性も優れたものであった。
一方、パラメータＡの値が本発明の範囲から外れた比較例１は、打球が上がりにくいものであった。
【図面の簡単な説明】
【００７０】
【図１】（ａ）は、本発明の実施例に係るゴルフクラブヘッドを有するゴルフクラブを示す模式的斜視図であり、（ｂ）は、図１（ａ）のゴルフクラブヘッドを示す模式的正面図である。
【図２】本発明のゴルフクラブセットにおいて定められる重心高さおよび慣性モーメントを説明するための模式図である。
【図３】ゴルフクラブをアドレスポジションに設置する状態を説明するための模式図である。
【図４】本発明における重心高さを規定するために用いる重心測定器を示す模式図である。
【図５】（ａ）および（ｂ）は、図２中の点ｇを見出すときの重心測定器を用いた測定方法を説明するための模式図である。
【図６】重心測定器を用いる時の測定方法の一部を説明する説明図である。
【図７】ロフト角度測定器を用いたゴルフクラブのロフト角度の測定を説明する説明図である。
【図８】図７に示す説明図の部分拡大図である。
【図９】図７に示すロフト角度測定器を用いたゴルフクラブのロフト角度の測定を説明する説明図である。
【図１０】ゴルフクラブヘッドの慣性モーメントを測定する慣性モーメント測定器を示す模式的斜視図である。
【図１１】（ａ）および（ｂ）は、図１０に示す慣性モーメントの測定方法を工程順に示す模式図である。
【図１２】（ａ）〜（ｃ）は、慣性モーメントを測定する際におけるゴルフクラブヘッドを治具に固定する固定位置を説明するための模式図である。
【図１３】慣性モーメントを測定する際におけるゴルフクラブヘッドを治具に固定する固定位置の好ましい形態を説明するための模式図である。
【図１４】縦軸に重心高さＦＧＨをとり、横軸に慣性モーメントＭＩＧをとって、本発明のパラメータＡの範囲を示すグラフである。
【図１５】本発明の実施例に係るゴルフクラブセットを示す模式図である。
【符号の説明】
【００７１】
１０  ゴルフクラブ
１２  ゴルフクラブヘッド
１３  ゴルフクラブヘッド本体部（本体部）
１４  ソケット
１６  ゴルフクラブシャフト
１８  グリップ
２０  フェース部
２０ａ  フェース面
２２  ソール部
２４  ホーゼル部
２６  開口部
２８  重心調整用錘
７０  慣性モーメント測定器
８２  治具
８４  上面部
１００  ゴルフクラブセット
Ｈ  水平面
【図１】
2006223460.tif 000005
【図２】
2006223460.tif 000006
【図３】
2006223460.tif 000007
【図４】
2006223460.tif 000008
【図５】
2006223460.tif 000009
【図６】
2006223460.tif 000010
【図７】
2006223460.tif 000011
【図８】
2006223460.tif 000012
【図９】
2006223460.tif 000013
【図１０】
2006223460.tif 000014
【図１１】
2006223460.tif 000015
【図１２】
2006223460.tif 000016
【図１３】
2006223460.tif 000017
【図１４】
2006223460.tif 000018
【図１５】
2006223460.tif 000019